(57)【要約】  【課題】  通常の窓ガラスに貼り付けるだけで、防犯効果を高めることができる防犯用積層シートを提供する。  【解決手段】  プラスチック製の網２は衝撃吸収性を備え、ステンレス箔４は、耐熱性と機械的強度を備えている。これらは、耐熱性の接着剤５で相互に接着されているので、バーナーで熱せられても一定時間は分離することがなく、積層シート６の性能を維持できるので、これを窓ガラス１に貼り付けることで、防犯効果を高めることができる。積層シート６は新設のガラス、既存のガラスに関わりなく、特別の改造工事をしなくても装着できる。【選択図】    図１
2005320685.tif 000002
【特許請求の範囲】
【請求項１】
プラスチック製の網と、ステンレス箔とを重ね耐熱接着剤を用いて接着してなり、窓ガラスに貼り付けて用いられることを特徴とする防犯用積層シート。
【請求項２】
更に、ガラスクロスを重ね耐熱接着剤を用いて接着してなることを特徴とする請求項１に記載の防犯用積層シート。
【発明の詳細な説明】
【技術分野】
【０００１】
本発明は、窓ガラスに貼り付けて用いられる防犯用積層シートに関する。
【背景技術】
【０００２】
近年において、犯罪は増加の一途をたどっている。特に、一般住宅を狙った空き巣が目立つが、その侵入手口は窓ガラスを破り、ここからの侵入が７１％を占めている（表１参照）。
【０００３】
【表１】
2005320685.tif 000003
【０００４】
具体的な侵入の手口としては、窓ガラスを小型ハンマーで叩いて破壊したり、又焼き破りの方法で破壊し、手が入る程度の穴が開いたらクレセント錠を外し侵入するというやり方が多い。これに対し、特許文献１には、プラスチック強化板を協力接着剤で、クレセント錠の近傍の窓ガラスに貼り付ける構成が開示されている。又、特許文献２には、プラスチック製の基材シートを、粘着層を介して、窓ガラスに貼り付ける構成が開示されている。
【特許文献１】特開２００２−１３３５８号公報
【特許文献２】特開２００３−２０８２６号公報
【発明の開示】
【発明が解決しようとする課題】
【０００５】
ここで、いずれの文献においても共通なのは、プラスチック製の板を窓ガラスに貼り付けている点である。しかるに、本発明者が鋭意研究を行った結果、窓ガラスにプラスチック製の板を貼り付けたのみでは、防犯効果が薄いことを発見した。より具体的には、例えばガスバーナーで窓ガラスを熱した場合、プラスチック製の板は容易に溶け始めてしまう。表２に示すように、侵入にかかる時間が５分を超えれば、侵入犯の７０％は侵入をあきらめるといわれているが、５分かからない内に、窓ガラスが割れ、プラスチック製の板は溶けるか燃えてしまう恐れがある。一方、防犯用合わせガラスは、通常のガラスの価格の４〜５倍とまだ効果であり、又交換の費用も考えると、全ての住居において防犯用合わせガラスに交換することは困難である。
【０００６】
【表２】
2005320685.tif 000004
【０００７】
本発明は、かかる従来技術の問題点に鑑みてなされたものであり、通常の窓ガラスに貼り付けるだけで、防犯効果を高めることができる防犯用積層シートを提供することを目的とする。
【課題を解決するための手段】
【０００８】
本発明の防犯用積層シートは、プラスチック製の網と、ステンレス箔とを重ね耐熱接着剤を用いて接着してなり、窓ガラスに貼り付けて用いられることを特徴とする。
【発明の効果】
【０００９】
本発明者は鋭意研究の結果、防犯用積層シートに必要な特性は、機械的強度、衝撃吸収性、耐熱性であることを見出した。即ち、機械的強度は、侵入犯がハンマーで叩いても破壊されない特性であり、衝撃吸収性は、侵入犯がハンマーで叩いたときにある程度撓むことでその衝撃を吸収する特性であり、更に耐熱性は、侵入犯がバーナーで熱した際にも、一定時間損傷を受けない特性である。かかる見地に基づき、本発明者は、プラスチック製の網と、ステンレス箔とを重ね、耐熱接着で接着した積層シートが、それらの特性を兼ね備えていることを見出したのである。即ち、プラスチック製の網は衝撃吸収性を備え、ステンレス箔は、耐熱性と機械的強度を備えている。これらは、耐熱性の接着剤で相互に接着されているので、バーナーで熱せられても一定時間は分離することがなく、積層シートの性能を維持できるため、これを窓ガラスに貼り付けることで、防犯効果を高めることができる。本発明の積層シートは新設のガラス、既存のガラスに関わりなく、特別の改造工事をしなくても装着できる。
【００１０】
更に、これらに、ガラスクロスを重ね耐熱接着剤を用いて接着してなると好ましい。窓ガラスによっては、すりガラスのように表面に微細な凹凸が形成されているような場合、プラスチック製の網又はステンレス板との密着性が低下する恐れがあるが、そのような場合、ガラスクロスを窓ガラスとの間に介在させることで、密着性を高めることができる。又、ガラスクロスを用いることで、耐衝撃性及び耐熱性も高まる。
【００１１】
尚、プラスチック製の網と、ガラスクロスと、ステンレス箔に加え、それ以外にも別な素材（カーボンクロス、非鉄箔（銅、アルアルミニュウム）等）を貼り付けることは任意である。
【発明を実施するための最良の形態】
【００１２】
以下、本発明の実施の形態を図面を参照して説明する。図１は、本実施の形態にかかる防犯用積層シート（一部を削除して図示）の構成図である。防犯用積層シート６は、プラスチック製の網２と、２層になったガラスクロス３と、ステンレス箔４とを、この順序で、それぞれ互いに耐熱接着剤５で接着してなるが、接着順序はこれに限られず、例えばガラスクロス３をシート表面に露出するように配置してもよい。このような防犯用積層シート６は、窓ガラス１の内側に貼り付けられて用いられる。このとき、接着には耐熱接着剤を用いることが好ましい。貼り付けの範囲は、部分的でも良く全面でも良い。尚、本実施の形態の防犯用積層シート６において、ガラスクロス３が、ステンレス箔（カーボンクロス、非鉄箔を貼り付ける場合はそれら）の外周より５〜１０ｍｍ飛び出ていると好ましい。万が一侵入犯の強打で窓ガラス１が割れた場合でも、その破片が飛ばないようにするためである。
【００１３】
図２は、本実施の形態の防犯用積層シート６を、クレセント錠８の近傍に貼り付けた状態を示した図である。一般的に、クレセント錠８と窓ガラス１との間には、１〜４ｍｍの距離があるので、防犯用積層シート６の厚さは、それより薄くすることが望ましい。尚、窓ガラスのクレセント錠の近傍に貼り付ける場合、防犯用積層シート６に隠れて、外部からクレセント錠８の位置や形状が視認できないようにするとよい。それにより、窓ガラスの破損位置確認に惑い、侵入時間を更に遅らせることができる。
【００１４】
図３，４、５は、本実施の形態の防犯用積層シート６を、窓ガラス１の全面に貼り付けた状態を示す図である。防犯用積層シート６自体は遮光性が低いので、外光が入りにくいということがある。そこで、図３，４、５に示すように、採光用の孔７を多数形成することで、採光性を高めることができる。尚、採光用の孔７の形状（矩形、円形、六角形等）や大きさは任意である。尚、孔７の部分を割られたとしても、防犯用積層シート６が強度を維持するので、外部からの侵入は依然として阻止できる。尚、このように防犯積層シート６を、窓ガラス１の全面に貼り付ければ、地震、台風、爆風などが生じた場合に、窓ガラスが飛散することを抑制する効果もある。
【００１５】
以下、本発明者が行った実験結果を示す。
（実施例）
防犯用積層シートの構成
（１）プラスチック製の網
線径：φ０．１〜０．４ｍｍ
素材：ポリエステル又はポリプロピレン
メッシュ：１０〜２４
（２）ガラスクロス
厚み：０．１〜２ｍｍ
（３）ステンレス箔
厚み：０．０４〜０．１ｍｍ
素材：ＳＵＳ１８−８
（４）耐熱接着剤
シリコン系、エポキシ樹脂系、変性ポリチオール、ポリエステル系、ポリイミド系
尚、表３に各素材のデータを示す。  
【００１６】
【表３】
2005320685.tif 000005
【００１７】
本発明者は、図６に示すようにして、厚さ３ｍｍの通常の窓ガラスを、全長２５０ｍｍ、重量２８０ｇのドライバーを手に持って叩き、突き破り時間を測定したところ３秒であった。また、このときは３〜５回の連打で窓ガラスが割れた。
【００１８】
一方、本発明者は、図７に示すようにして、同じ厚さ３ｍｍの通常の窓ガラスに、上記実施例の防犯用積層シートを貼り付けて、同じドライバーを手に持って叩き、突き破り時間を測定したところ６分３０秒であった。また、このときは２００回の連打が必要であった。
【００１９】
更に、本発明者は、図８に示すようにして、厚さ３ｍｍの通常の窓ガラスを、火炎温度１３００℃のガスバーナーを用いて、焼き破り時間を測定したところ４秒であった。
【００２０】
一方、本発明者は、図９に示すようにして、同じ厚さ３ｍｍの通常の窓ガラスに、上記実施例の防犯用積層シートを貼り付けて、同じガスバーナーを用いて、焼き破り時間を測定したところ、窓ガラスに２０秒でヒビは入ったものの、完全に防犯用積層シートが破壊するまで５分かかった。
【００２１】
以上の実験結果を考察するに、本発明の防犯用積層シートを窓ガラスに貼り付ければ、突き破りにしろ焼き破りにしろ５分以上かかることが分かり、防犯上非常に効果があることがわかった。
【００２２】
以上、実施の形態を参照して本発明を詳細に説明してきたが、本発明は上記実施の形態に限定して解釈されるべきでなく、その趣旨を損ねない範囲で適宜変更、改良可能であることはもちろんである。
【図面の簡単な説明】
【００２３】
【図１】本実施の形態にかかる防犯用積層シート（一部を削除して図示）の構成図である。
【図２】本実施の形態の防犯用積層シート６を、クレセント錠８の近傍に貼り付けた状態を示した図である。
【図３】本実施の形態の防犯用積層シート６を、窓ガラス１の全面に貼り付けた状態を示す図である。
【図４】本実施の形態の防犯用積層シート６を、窓ガラス１の全面に貼り付けた状態を示す図である。
【図５】本実施の形態の防犯用積層シート６を、窓ガラス１の全面に貼り付けた状態を示す図である。
【図６】突き破りの実験を説明するための図である。
【図７】突き破りの実験を説明するための図である。
【図８】焼き破りの実験を説明するための図である。
【図９】焼き破りの実験を説明するための図である。
【符号の説明】
【００２４】
１ 窓ガラス
２ プラスチック製の網
３ ガラスクロス
４ ステンレス箔
５ 耐熱接着剤
６ 防犯用積層シート
７ 孔
８ クレセント錠
【図１】
2005320685.tif 000006
【図２】
2005320685.tif 000007
【図３】
2005320685.tif 000008
【図４】
2005320685.tif 000009
【図５】
2005320685.tif 000010
【図６】
2005320685.tif 000011
【図７】
2005320685.tif 000012
【図８】
2005320685.tif 000013
【図９】
2005320685.tif 000014